(57)【要約】【課題】本発明は、組立作業性の向上を図りつつ、所定形状を安定的に維持しつつ箱形状が美しい包装用紙箱の展開体を提供する。【解決手段】１枚のシート１０１が折られて形成された包装用紙箱の展開体１Ａであって、底壁８と、該底壁から立設される３つの側壁９、１０、１１と、を備える箱本体２と、天壁１２と、該天壁から立設される３つの覆い壁１３、１４、１５と、を有する蓋体３と、底壁と天壁とを連結する連結壁４と、連結壁の左右両側に連続形成された一対の第１折込片５と、左右の側壁と前方側の側壁との間に設けられた一対の第２折込片６と、左右の覆い壁と前方側の覆い壁との間に設けられた一対の第３折込片７と、を備え、左右の側壁が、底側外壁２０、２１と、底側内壁２２、２３と、上壁２４、２５と、底壁貼付部２６、２７と、を有し、左右の覆い壁が、天側外壁４０、４１と、天側内壁４２、４３と、を有する。【選択図】図２
2015093676.tif 000002
【特許請求の範囲】
【請求項１】
１枚のシートが少なくとも折られることで形成された包装用紙箱の展開体であって、
前後左右に４つの縁を有する矩形状の底壁と、該底壁の左右及び前方側の各縁から立設される３つの側壁と、を備え、上方に開口を有する箱本体と、
前後左右に４つの縁を有し、前記開口を覆う天壁と、該天壁の各縁から立設されて前記箱本体の前記３つの側壁をそれぞれ覆う３つの覆い壁と、を有する蓋体と、
前記底壁の後方側の縁から立設されて、前記天壁の後方側の縁と連結する連結壁と、
前記連結壁の左右両側に連続形成された一対の第１折込片と、
左右の前記側壁と前方側の前記側壁との間に設けられた一対の第２折込片と、
左右の前記覆い壁と前方側の前記覆い壁との間に設けられた一対の第３折込片と、を備え、
左右の前記側壁が、前記底壁に連続形成された底側外壁と、該底側外壁に対向する底側内壁と、これら底側外壁及び底側内壁を上方側で連結する上壁と、前記底側内壁の下方側に連続形成されて前記底壁の内面に貼付される底壁貼付部と、を有し、
左右の前記覆い壁が、前記天壁に連続形成された天側外壁と、該天側外壁に連続形成されかつ重ねられる天側内壁と、を有する包装用紙箱の展開体において、
前記シートが、その表面が前記包装用紙箱の外面を、その裏面が前記包装用紙箱の内面をそれぞれ構成するように設けられ、
前記底壁に相当する底壁相当部、前記天壁に相当する天壁相当部、前記連結壁に相当する連結壁相当部、前方側の前記側壁に相当する前方側壁相当部、及び、前方側の前記覆い壁に相当する前方覆い壁相当部、が同一平面上に設けられ、
前記底側外壁に相当する底側外壁相当部と前記底壁相当部との境界を折り目として、前記底側外壁相当部と前記底壁相当部との裏面同士が対向するように折られ、
前記底側内壁に相当する底側内壁相当部と前記上壁に相当する上壁相当部との境界を折り目として、前記底側内壁相当部と前記上壁相当部との裏面同士が対向するように折られ、
前記底側内壁相当部と前記底壁貼付部に相当する底壁貼付相当部との境界を折り目として、前記底側内壁相当部と前記底壁貼付相当部との表面同士が対向するように折られ、この状態で、前記底壁貼付相当部の裏面が、前記底壁相当部と前記底側外壁相当部の境界よりも前記上壁相当部の左右方向の寸法分だけ内側で、前記底壁相当部の裏面に貼付され、
前記上壁相当部と前記底側外壁相当部との境界には、第１折り筋が設けられ、
前記天側外壁に相当する天側外壁相当部と前記天壁相当部との境界を折り目として、前記天側外壁相当部と前記天壁相当部との裏面同士が対向するように折られ、
前記天側外壁相当部と前記天側内壁に相当する天側内壁相当部との境界を折り目として、前記天側外壁相当部と前記天側内壁相当部との裏面同士が対向するように折られ、この状態で、前記天側外壁相当部の裏面の一部が、前記天側内壁相当部の裏面に貼付され、
前記一対の第１折込片に相当する第１折込片相当部と前記連結壁相当部との境界を折り目として、前記第１折込片相当部と前記連結壁相当部との裏面同士が対向するように折られ、
前記一対の第２折込片に相当する第２折込片相当部と前記前方側壁相当部との境界を折り目として、前記第２折込片相当部と前記前方側壁相当部との裏面同士が対向するように折られ、
前記一対の第３折込片に相当する第３折込片相当部と前記前方覆い壁相当部との境界を折り目として、前記第３折込片相当部と前記前方覆い壁相当部との裏面同士が対向するように折られてことを特徴とする包装用紙箱の展開体。
【請求項２】
１枚のシートが少なくとも折られることで形成された包装用紙箱の展開体であって、
前後左右に４つの縁を有する矩形状の底壁と、該底壁の左右及び前方側の各縁から立設される３つの側壁と、を備え、上方に開口を有する箱本体と、
前後左右に４つの縁を有し、前記開口を覆う天壁と、該天壁の各縁から立設されて前記箱本体の前記３つの側壁をそれぞれ覆う３つの覆い壁と、を有する蓋体と、
前記底壁の後方側の縁から立設されて、前記天壁の後方側の縁と連結する連結壁と、
前記連結壁の左右両側に連続形成された一対の第１折込片と、
左右の前記側壁と前方側の前記側壁との間に設けられた一対の第２折込片と、
左右の前記覆い壁と前方側の前記覆い壁との間に設けられた一対の第３折込片と、を備え、
左右の前記側壁が、前記底壁に連続形成された底側外壁と、該底側外壁に対向する底側内壁と、これら底側外壁及び底側内壁を上方側で連結する上壁と、前記底側内壁の下方側に連続形成されて前記底壁の内面に貼付される底壁貼付部と、を有し、
左右の前記覆い壁が、前記天壁に連続形成された天側外壁と、該天側外壁に連続形成されかつ重ねられる天側内壁と、前記天側内壁に連続形成されて前記天壁の内面に貼付される天壁貼付部と、を有する包装用紙箱の展開体において、
前記シートが、その表面が前記包装用紙箱の外面を、その裏面が前記包装用紙箱の内面をそれぞれ構成するように設けられ、
前記底壁に相当する底壁相当部、前記天壁に相当する天壁相当部、前記連結壁に相当する連結壁相当部、前方側の前記側壁に相当する前方側壁相当部、及び、前方側の前記覆い壁に相当する前方覆い壁相当部、が同一平面上に設けられ、
前記底側外壁に相当する底側外壁相当部と前記底壁相当部との境界を折り目として、前記底側外壁相当部と前記底壁相当部との裏面同士が対向するように折られ、
前記底側内壁に相当する底側内壁相当部と前記上壁に相当する上壁相当部との境界を折り目として、前記底側内壁相当部と前記上壁相当部との裏面同士が対向するように折られ、
前記底側内壁相当部と前記底壁貼付部に相当する底壁貼付相当部との境界を折り目として、前記底側内壁相当部と前記底壁貼付相当部との表面同士が対向するように折られ、この状態で、前記底壁貼付相当部の裏面が、前記底壁相当部と前記底側外壁相当部の境界よりも前記上壁相当部の左右方向の寸法分だけ内側で、前記底壁相当部の裏面に貼付され、
前記上壁相当部と前記底側外壁相当部との境界には、第１折り筋が設けられ、
前記天側外壁に相当する天側外壁相当部と前記天壁相当部との境界を折り目として、前記天側外壁相当部と前記天壁相当部との裏面同士が対向するように折られ、
前記天側外壁相当部と前記天側内壁に相当する天側内壁相当部との境界を折り目として、前記天側外壁相当部と前記天側内壁相当部との裏面同士が対向するように折られ、
前記天側内壁相当部と前記天壁貼付部に相当する天壁貼付相当部との境界を折り目として、前記天側内壁相当部と前記天壁貼付相当部との表面同士が対向するように折られ、この状態で、前記天壁貼付相当部の裏面が、前記天壁相当部と前記天側外壁相当部の境界よりも僅かに内側で、前記天壁相当部の裏面に貼付され、
前記一対の第１折込片に相当する第１折込片相当部と前記連結壁相当部との境界を折り目として、前記第１折込片相当部と前記連結壁相当部との裏面同士が対向するように折られ、
前記一対の第２折込片に相当する第２折込片相当部と前記前方側壁相当部との境界を折り目として、前記第２折込片相当部と前記前方側壁相当部との裏面同士が対向するように折られ、
前記一対の第３折込片に相当する第３折込片相当部と前記前方覆い壁相当部との境界を折り目として、前記第３折込片相当部と前記前方覆い壁相当部との裏面同士が対向するように折られていることを特徴とする包装用紙箱の展開体。
【請求項３】
前記一対の第１折込片相当部の裏面の一部が、前記連結壁相当部の裏面に貼付され、
前記一対の第２折込片相当部の裏面の一部が、前記前方側壁相当部の裏面に貼付され、
前記一対の第３折込片相当部の裏面の一部が、前記前方覆い壁相当部の裏面に貼付されていることを特徴とする請求項１又は請求項２記載の包装用紙箱の展開体。
【請求項４】
前方側の前記側壁が、前記底壁に連続形成された前方底側外壁と、該前方底側外壁に対向する前方底側内壁と、これら前方底側外壁及び前方底側内壁を上方側で連結する前方上壁と、を有し、
前方側の前記覆い壁が、前記天壁に連続形成された前方天側外壁と、該前方天側外壁に連続形成されかつ重ねられる前方天側内壁と、を有し、
前記前方側壁相当部が、前記前方底側外壁に相当する前方底側外壁相当部と、前記前方底側内壁に相当する前方底側内壁相当部と、前記前方上壁に相当する前方上壁相当部と、を有し、
前記前方覆い壁相当部が、前記前方天側外壁に相当する前方天側外壁相当部と、前記前方天側内壁に相当する前方天側内壁相当部と、を有し、
前記第２折込片相当部と前記前方底側外壁相当部との境界を折り目として、前記第２折込片相当部と前記前方底側外壁相当部との裏面同士が対向するように折られ、
前記第３折込片相当部と前記前方天側外壁相当部との境界を折り目として、前記第３折込片相当部と前記前方天側外壁相当部との裏面同士が対向するように折られ、
前記前方底側外壁相当部と前記前方上壁相当部との境界を折り目として、前記前方上壁相当部が、前記第２折込片相当部を当該前記前方上壁相当部と前記前方底側外壁相当部との間に挟み込むように折られ、かつ、前記前方上壁相当部と前記前方底側内壁相当部との境界には、第２折り筋が設けられ、
前記前方天側外壁相当部と前記前方天側内壁相当部との境界を折り目として、前記前方天側内壁相当部が、前記第３折込片相当部を当該前方天側内壁相当部と前記前方天側外壁相当部との間に挟み込むように折られていることを特徴とする請求項１乃至請求項３のうちいずれか一項記載の包装用紙箱の展開体。
【請求項５】
前記各折り目が、機械を用いてプレスされることで形成されていることを特徴とする請求項１乃至請求項４のうちいずれか一項記載の包装用紙箱の展開体。
【請求項６】
一対の前記第１折込片相当部が、
前記第１折込片相当部と前記天側外壁相当部との間にスリットを有し、前記底側外壁相当部に連続形成されている、又は、
前記第１折込片相当部と前記底側外壁相当部との間にスリットを有し、前記天側外壁相当部に連続形成されていることを特徴とする請求項１乃至請求項５のうちいずれか一項記載の包装用紙箱の展開体。
【請求項７】
請求項１乃至請求項６のうちいずれか一項記載の包装用紙箱の展開体が折られて形成された包装用紙箱であって、
左右の前記側壁に相当する左右側側壁相当部が、前記底壁相当部に対して、互いに離れる方向に折り起こされることにより、前記前方側壁相当部、及び、前記連結壁相当部が折り起こされて、３つの前記側壁が、前記底壁の左右及び前方側の縁に立設形成され、
左右の前記覆い壁に相当する左右側覆い壁相当部が、前記天壁相当部に対して、互いに離れる方向に折り起こされることにより、前記前方覆い壁相当部が折り起こされて、３つの前記覆い壁が、前記天壁の左右及び前方側の縁に立設形成され、
前記第１折込片相当部の中途を折り目として表面同士が対向するように折り込まれて、前記第１折込片が形成され、
前記第２折込片相当部の中途を折り目として表面同士が対向するように折り込まれて、前記第２折込片が形成され、
前記第３折込片相当部の中途を折り目として表面同士が対向するように折り込まれて、前記第３折込片が形成されていることを特徴とする包装用紙箱。
【請求項８】
前記底壁と前記連結壁との境界位置で、左右の前記側壁を支持する支持板を備え、
前記第１折込片が、第１三角片と、この第１三角片に連続形成された第２三角片と、を備え、前記第１三角片と前記第２三角片との境界を折り目として、前記第１三角片と前記第２三角片との表面同士が対向するように折られ、
前記支持板が、前記連結壁の内面に対向して設けられる立設板と、この立設板に連続形成された一対の差込片と、を備え、
前記立設板と前記一対の差込片とが対向するように折られ、
前記一対の差込片が、それぞれ、前記第１三角片と前記第２三角片との間に上方から差し込まれて、前記支持板が前記箱本体に装着されていることを特徴とする請求項７記載の包装用紙箱。
【発明の詳細な説明】
【技術分野】
【０００１】
本発明は、包装用紙箱、及び、包装用紙箱の展開体に関する。
【背景技術】
【０００２】
従来から、包装箱として、矩形状の底壁、及び、底壁から立設された４つの側壁、を備えて、上方に開口を有する箱本体と、４つのうち１つの側壁に連続形成されて、箱本体の開口を覆う上蓋と、を備えた包装箱が用いられている。この上蓋は、板状に形成されているため、側壁と上蓋との間には隙間が生じる場合がある。このため、この隙間から箱本体内に異物が混入したり、逆に、箱本体に収容された内容物が隙間から飛び出す可能性があった。さらに、この包装箱は、複数を上下に積み重ねた際に押し潰されることがあり、上下方向の強度の確保が求められていた。
【０００３】
このような問題を解決した包装箱が、特許文献１に開示されている。図９は、特許文献１に記載された従来の包装箱の一例を示す斜視図である。図９に示すように、従来の包装箱２０１（特許文献１に記載された発明における「紙容器」）は、１枚のシートが折り曲げられて形成されたものであり、四角状底面２０２、底面に連接する前面２０３、両側面２０４及び後面２０５からなる容器本体２０６と、後面上縁に折れ線で連設した四角状天面２０７、該天面２０７に連設する蓋前面２０８及び両蓋側面２０９からなる蓋体１２０と、を一体に備えて構成されている。前面２０３及び両側面２０４は、それぞれ、外壁２０３Ａ、２０４Ａとこの外壁２０３Ａ、２０４Ａに対向する内壁２０３Ｂ、２０４Ｂとを有する二重壁に設けられている。
【０００４】
従来の包装箱２０１にあっては、展開状態のシートにおける容器本体２０６の前面２０３、両側面２０４、後面２０５のそれぞれに相当する部分を、底面２０２に相当する部分に近付けるように底面２０２の内側に折り込んで、容器本体２０６を組み立て、展開状態のシートにおける蓋体１２０の蓋前面２０８及び両蓋側面２０９のそれぞれに相当する部分を、天面２０７に相当する部分に近付けるように天面２０７の内側に折り込んで、蓋体１２０を組み立てて、包装箱２０１を組み立てる。このような従来の包装箱２０１は、蓋体１２０が、容器本体２０６の両側面２０４、後面２０５に覆い被さることで、容器本体２０６と蓋体１２０との隙間から、容器本体２０６内に異物が混入したり、容器本体２０６に収容された内容物が隙間から飛び出すことを防止していた。
【０００５】
しかしながら、従来の包装箱２０１にあっては、展開状態のシートにおける蓋体１２０の蓋前面２０８及び両蓋側面２０９に相当する部分を、天面２０７に相当する部分に近付けるように天面２０７の内側に折ることで組み立てられているため、蓋前面２０８、及び、両蓋側面２０９は、天面２０７の同一平面上に近付く復元力を有している。このような蓋前面２０８及び両蓋側面２０９の復元力は、蓋前面２０８及び両蓋側面２０９が前面２０３及び両側面２０４から浮く方向に作用するため、包装箱２０１の形状を安定的に維持することが困難だった。また、従来の包装箱２０１は、シートが所定の各部位の１つ１つを折り目として折って形成していたから、組立工程数が多く、作業性が悪かった。
【先行技術文献】
【特許文献】
【０００６】
【特許文献１】特開２０００−３２６９５２号公報
【発明の概要】
【発明が解決しようとする課題】
【０００７】
本発明は、以上の背景に鑑みてなされたものであり、組立作業性の向上を図りつつ、組立状態において、所定形状を安定的に維持しつつ箱形状が美しい包装用紙箱の展開体、包装用紙箱を提供することを目的とする。
【課題を解決するための手段】
【０００８】
上記目的は、以下の本発明によって解決される。
即ち、請求項１記載の本発明は、１枚のシートが少なくとも折られることで形成された包装用紙箱の展開体であって、
前後左右に４つの縁を有する矩形状の底壁と、該底壁の左右及び前方側の各縁から立設される３つの側壁と、を備え、上方に開口を有する箱本体と、
前後左右に４つの縁を有し、前記開口を覆う天壁と、該天壁の各縁から立設されて前記箱本体の前記３つの側壁をそれぞれ覆う３つの覆い壁と、を有する蓋体と、
前記底壁の後方側の縁から立設されて、前記天壁の後方側の縁と連結する連結壁と、
前記連結壁の左右両側に連続形成された一対の第１折込片と、
左右の前記側壁と前方側の前記側壁との間に設けられた一対の第２折込片と、
左右の前記覆い壁と前方側の前記覆い壁との間に設けられた一対の第３折込片と、を備え、
左右の前記側壁が、前記底壁に連続形成された底側外壁と、該底側外壁に対向する底側内壁と、これら底側外壁及び底側内壁を上方側で連結する上壁と、前記底側内壁の下方側に連続形成されて前記底壁の内面に貼付される底壁貼付部と、を有し、
左右の前記覆い壁が、前記天壁に連続形成された天側外壁と、該天側外壁に連続形成されかつ重ねられる天側内壁と、を有する包装用紙箱の展開体において、
前記シートが、その表面が前記包装用紙箱の外面を、その裏面が前記包装用紙箱の内面をそれぞれ構成するように設けられ、
前記底壁に相当する底壁相当部、前記天壁に相当する天壁相当部、前記連結壁に相当する連結壁相当部、前方側の前記側壁に相当する前方側壁相当部、及び、前方側の前記覆い壁に相当する前方覆い壁相当部、が同一平面上に設けられ、
前記底側外壁に相当する底側外壁相当部と前記底壁相当部との境界を折り目として、前記底側外壁相当部と前記底壁相当部との裏面同士が対向するように折られ、
前記底側内壁に相当する底側内壁相当部と前記上壁に相当する上壁相当部との境界を折り目として、前記底側内壁相当部と前記上壁相当部との裏面同士が対向するように折られ、
前記底側内壁相当部と前記底壁貼付部に相当する底壁貼付相当部との境界を折り目として、前記底側内壁相当部と前記底壁貼付相当部との表面同士が対向するように折られ、この状態で、前記底壁貼付相当部の裏面が、前記底壁相当部と前記底側外壁相当部の境界よりも前記上壁相当部の左右方向の寸法分だけ内側で、前記底壁相当部の裏面に貼付され、
前記上壁相当部と前記底側外壁相当部との境界には、第１折り筋が設けられ、
前記天側外壁に相当する天側外壁相当部と前記天壁相当部との境界を折り目として、前記天側外壁相当部と前記天壁相当部との裏面同士が対向するように折られ、
前記天側外壁相当部と前記天側内壁に相当する天側内壁相当部との境界を折り目として、前記天側外壁相当部と前記天側内壁相当部との裏面同士が対向するように折られ、この状態で、前記天側外壁相当部の裏面の一部が、前記天側内壁相当部の裏面に貼付され、
前記一対の第１折込片に相当する第１折込片相当部と前記連結壁相当部との境界を折り目として、前記第１折込片相当部と前記連結壁相当部との裏面同士が対向するように折られ、
前記一対の第２折込片に相当する第２折込片相当部と前記前方側壁相当部との境界を折り目として、前記第２折込片相当部と前記前方側壁相当部との裏面同士が対向するように折られ、
前記一対の第３折込片に相当する第３折込片相当部と前記前方覆い壁相当部との境界を折り目として、前記第３折込片相当部と前記前方覆い壁相当部との裏面同士が対向するように折られてことを特徴とする包装用紙箱の展開体である。
【０００９】
請求項２記載の本発明は、１枚のシートが少なくとも折られることで形成された包装用紙箱の展開体であって、
前後左右に４つの縁を有する矩形状の底壁と、該底壁の左右及び前方側の各縁から立設される３つの側壁と、を備え、上方に開口を有する箱本体と、
前後左右に４つの縁を有し、前記開口を覆う天壁と、該天壁の各縁から立設されて前記箱本体の前記３つの側壁をそれぞれ覆う３つの覆い壁と、を有する蓋体と、
前記底壁の後方側の縁から立設されて、前記天壁の後方側の縁と連結する連結壁と、
前記連結壁の左右両側に連続形成された一対の第１折込片と、
左右の前記側壁と前方側の前記側壁との間に設けられた一対の第２折込片と、
左右の前記覆い壁と前方側の前記覆い壁との間に設けられた一対の第３折込片と、を備え、
左右の前記側壁が、前記底壁に連続形成された底側外壁と、該底側外壁に対向する底側内壁と、これら底側外壁及び底側内壁を上方側で連結する上壁と、前記底側内壁の下方側に連続形成されて前記底壁の内面に貼付される底壁貼付部と、を有し、
左右の前記覆い壁が、前記天壁に連続形成された天側外壁と、該天側外壁に連続形成されかつ重ねられる天側内壁と、前記天側内壁に連続形成されて前記天壁の内面に貼付される天壁貼付部と、を有する包装用紙箱の展開体において、
前記シートが、その表面が前記包装用紙箱の外面を、その裏面が前記包装用紙箱の内面をそれぞれ構成するように設けられ、
前記底壁に相当する底壁相当部、前記天壁に相当する天壁相当部、前記連結壁に相当する連結壁相当部、前方側の前記側壁に相当する前方側壁相当部、及び、前方側の前記覆い壁に相当する前方覆い壁相当部、が同一平面上に設けられ、
前記底側外壁に相当する底側外壁相当部と前記底壁相当部との境界を折り目として、前記底側外壁相当部と前記底壁相当部との裏面同士が対向するように折られ、
前記底側内壁に相当する底側内壁相当部と前記上壁に相当する上壁相当部との境界を折り目として、前記底側内壁相当部と前記上壁相当部との裏面同士が対向するように折られ、
前記底側内壁相当部と前記底壁貼付部に相当する底壁貼付相当部との境界を折り目として、前記底側内壁相当部と前記底壁貼付相当部との表面同士が対向するように折られ、この状態で、前記底壁貼付相当部の裏面が、前記底壁相当部と前記底側外壁相当部の境界よりも前記上壁相当部の左右方向の寸法分だけ内側で、前記底壁相当部の裏面に貼付され、
前記上壁相当部と前記底側外壁相当部との境界には、第１折り筋が設けられ、
前記天側外壁に相当する天側外壁相当部と前記天壁相当部との境界を折り目として、前記天側外壁相当部と前記天壁相当部との裏面同士が対向するように折られ、
前記天側外壁相当部と前記天側内壁に相当する天側内壁相当部との境界を折り目として、前記天側外壁相当部と前記天側内壁相当部との裏面同士が対向するように折られ、
前記天側内壁相当部と前記天壁貼付部に相当する天壁貼付相当部との境界を折り目として、前記天側内壁相当部と前記天壁貼付相当部との表面同士が対向するように折られ、この状態で、前記天壁貼付相当部の裏面が、前記天壁相当部と前記天側外壁相当部の境界よりも僅かに内側で、前記天壁相当部の裏面に貼付され、
前記一対の第１折込片に相当する第１折込片相当部と前記連結壁相当部との境界を折り目として、前記第１折込片相当部と前記連結壁相当部との裏面同士が対向するように折られ、
前記一対の第２折込片に相当する第２折込片相当部と前記前方側壁相当部との境界を折り目として、前記第２折込片相当部と前記前方側壁相当部との裏面同士が対向するように折られ、
前記一対の第３折込片に相当する第３折込片相当部と前記前方覆い壁相当部との境界を折り目として、前記第３折込片相当部と前記前方覆い壁相当部との裏面同士が対向するように折られていることを特徴とする包装用紙箱の展開体である。
【００１０】
請求項３記載の本発明は、請求項１又は請求項２記載の本発明において、前記一対の第１折込片相当部の裏面の一部が、前記連結壁相当部の裏面に貼付され、
前記一対の第２折込片相当部の裏面の一部が、前記前方側壁相当部の裏面に貼付され、
前記一対の第３折込片相当部の裏面の一部が、前記前方覆い壁相当部の裏面に貼付されていることを特徴とする。
【００１１】
請求項４記載の本発明は、請求項１乃至請求項３のうちいずれか一項記載の本発明において、前方側の前記側壁が、前記底壁に連続形成された前方底側外壁と、該前方底側外壁に対向する前方底側内壁と、これら前方底側外壁及び前方底側内壁を上方側で連結する前方上壁と、を有し、
前方側の前記覆い壁が、前記天壁に連続形成された前方天側外壁と、該前方天側外壁に連続形成されかつ重ねられる前方天側内壁と、を有し、
前記前方側壁相当部が、前記前方底側外壁に相当する前方底側外壁相当部と、前記前方底側内壁に相当する前方底側内壁相当部と、前記前方上壁に相当する前方上壁相当部と、を有し、
前記前方覆い壁相当部が、前記前方天側外壁に相当する前方天側外壁相当部と、前記前方天側内壁に相当する前方天側内壁相当部と、を有し、
前記第２折込片相当部と前記前方底側外壁相当部との境界を折り目として、前記第２折込片相当部と前記前方底側外壁相当部との裏面同士が対向するように折られ、
前記第３折込片相当部と前記前方天側外壁相当部との境界を折り目として、前記第３折込片相当部と前記前方天側外壁相当部との裏面同士が対向するように折られ、
前記前方底側外壁相当部と前記前方上壁相当部との境界を折り目として、前記前方上壁相当部が、前記第２折込片相当部を当該前記前方上壁相当部と前記前方底側外壁相当部との間に挟み込むように折られ、かつ、前記前方上壁相当部と前記前方底側内壁相当部との境界には、第２折り筋が設けられ、
前記前方天側外壁相当部と前記前方天側内壁相当部との境界を折り目として、前記前方天側内壁相当部が、前記第３折込片相当部を当該前方天側内壁相当部と前記前方天側外壁相当部との間に挟み込むように折られていることを特徴とする。
【００１２】
請求項５記載の本発明は、請求項１乃至請求項４のうちいずれか一項記載の本発明において、前記各折り目が、機械を用いてプレスされることで形成されていることを特徴とする。
【００１３】
請求項６記載の本発明は、請求項１乃至請求項５のうちいずれか一項記載の本発明において、一対の前記第１折込片相当部が、
前記第１折込片相当部と前記天側外壁相当部との間にスリットを有し、前記底側外壁相当部に連続形成されている、又は、
前記第１折込片相当部と前記底側外壁相当部との間にスリットを有し、前記天側外壁相当部に連続形成されていることを特徴とする。
【００１４】
請求項７記載の本発明は、請求項１乃至請求項６のうちいずれか一項記載の包装用紙箱の展開体が折られて形成された包装用紙箱であって、
左右の前記側壁に相当する左右側側壁相当部が、前記底壁相当部に対して、互いに離れる方向に折り起こされることにより、前記前方側壁相当部、及び、前記連結壁相当部が折り起こされて、３つの前記側壁が、前記底壁の左右及び前方側の縁に立設形成され、
左右の前記覆い壁に相当する左右側覆い壁相当部が、前記天壁相当部に対して、互いに離れる方向に折り起こされることにより、前記前方覆い壁相当部が折り起こされて、３つの前記覆い壁が、前記天壁の左右及び前方側の縁に立設形成され、
前記第１折込片相当部の中途を折り目として表面同士が対向するように折り込まれて、前記第１折込片が形成され、
前記第２折込片相当部の中途を折り目として表面同士が対向するように折り込まれて、前記第２折込片が形成され、
前記第３折込片相当部の中途を折り目として表面同士が対向するように折り込まれて、前記第３折込片が形成されていることを特徴とする包装用紙箱である。
【００１５】
請求項８記載の本発明は、請求項７記載の本発明において、前記底壁と前記連結壁との境界位置で、左右の前記側壁を支持する支持板を備え、
前記第１折込片が、第１三角片と、この第１三角片に連続形成された第２三角片と、を備え、前記第１三角片と前記第２三角片との境界を折り目として、前記第１三角片と前記第２三角片との表面同士が対向するように折られ、
前記支持板が、前記連結壁の内面に対向して設けられる立設板と、この立設板に連続形成された一対の差込片と、を備え、
前記立設板と前記一対の差込片とが対向するように折られ、
前記一対の差込片が、それぞれ、前記第１三角片と前記第２三角片との間に上方から差し込まれて、前記支持板が前記箱本体に装着されていることを特徴とする。
【発明の効果】
【００１６】
請求項１記載の包装用紙箱の展開体によれば、内側に折られた左右の側壁相当部を、底壁相当部に対して、左右方向の互いに離れる側に折り起こすことで、上壁相当部と底側外壁相当部との境界に設けられた第１折り筋を折り目として折られることとなり、底壁の左右の縁に立設される側壁が形成される。これと略同時に、左右の側壁を二重壁に形成することができる。このように、容易に左右の側壁を二重壁に形成することができるから、組立作業性の向上を図ることができる。
【００１７】
さらに、蓋体は、内側に折られた左右の覆い壁相当部を、天壁相当部に対して、左右方向の互いに離れる側に折り起こすことで組み立てられるから、組立状態の包装用紙箱において、覆い壁には、箱本体の側壁に近付く方向に作用する復元力が生じる。即ち、覆い壁は側壁に近付けられる力が作用した状態で設けられることとなり、よって、組立状態の包装用紙箱において、所定形状を安定的に維持しつつ箱形状を美しいものとすることができる。即ち、組立作業性の向上を図りつつ、組立状態において、所定形状を安定的に維持しつつ箱形状が美しい包装用紙箱の展開体を提供することができる。
【００１８】
また、請求項１記載の包装用紙箱の展開体は、１枚のシートから形成されるため、例えば、組立状態において低背の包装用紙箱を形成する場合には、シートを略長方形状に用いることができ、紙取りよく、紙（材料）を生産性よく用いることができる。
【００１９】
また、請求項１記載の包装用紙箱の展開体は、全体として厚みの少ない板状に形成されているとともに、平面視における面積が小さくなるように設けられているため、完成品の包装用紙箱よりもコンパクトにされ、運送する際や保管する際のスペースの無駄を省くことができる。
【００２０】
請求項２記載の包装用紙箱の展開体によれば、内側に折られた左右の側壁相当部を、底壁相当部に対して、左右方向の互いに離れる側に折り起こすことで、上壁相当部と底側外壁相当部との境界に設けられた第１折り筋を折り目として折られることとなり、底壁の左右の縁に立設される側壁が形成される。これと略同時に、左右の側壁を二重壁に形成することができる。このように、容易に左右の側壁を二重壁に形成することができるから、組立作業性の向上を図ることができる。
【００２１】
また、包装用紙箱が、天側内壁に連続形成されて天壁の内面に貼付される天壁貼付部を備え、天側内壁相当部と天壁貼付部に相当する天壁貼付相当部との境界を折り目として、天側内壁相当部と天壁貼付相当部との表面同士が対向するように折られ、この状態で、天壁貼付相当部の裏面が、天壁相当部と天側外壁相当部の境界よりも僅かに内側で、天壁相当部の裏面に貼付される。即ち、天壁貼付相当部の裏面が、天壁相当部と天側外壁相当部の境界よりも僅かに内側で、天壁相当部の裏面に貼付されることにより、包装用紙箱の組立状態でかつ蓋体が箱本体の開口を覆った状態における左右の覆い壁の天壁側の根元から底壁側の先端に向かうに従って、左右の側壁に近付くように傾斜して設けられることとなる。即ち、覆い壁は側壁に近付けられるように僅かに傾斜した状態で設けられることとなる。さらに、蓋体は、内側に折られた左右の覆い壁相当部を、天壁相当部に対して、左右方向の互いに離れる側に折り起こすことで組み立てられるから、覆い壁は側壁に近付けられる力が作用した状態で設けられることとなり、よって、組立状態の包装用紙箱において、所定形状をより一層安定的に維持しつつ、箱形状をより一層美しいものとすることができる。
【００２２】
請求項３記載の包装用紙箱の展開体によれば、一対の第１折込片相当部の一部が、連結壁相当部に貼付され、一対の第２折込片相当部の一部が、前方側壁相当部に貼付され、一対の第３折込片相当部の一部が、前方覆い壁相当部に貼付されているから、内側に折られた左右の側壁相当部を、底壁相当部に対して、左右方向の互いに離れる側に折り起こすことで、連結壁相当部が、第１折込片相当部を介して折り起こされるとともに、前方側の側壁相当部が、第２折込片相当部を介して折り起こされ、これと同時に、上壁相当部と底側外壁相当部との境界に設けられた第１折り筋を折り目として折られることとなり、連結壁と、底壁の左右及び前方側の縁に立設される３つの側壁と、が形成される。これと略同時に、左右の側壁を二重壁に形成することができる。また、一対の第３折込片相当部の一部が、前方覆い壁相当部に貼付されているから、左右側覆い壁相当部を、天壁相当部に対して、左右方向の互いに離れる側に折り起こすことで、第３折込片相当部を介して前方側の覆い壁相当部が折り起こされて、天壁の左右及び前方側の縁に立設される３つの覆い壁が形成される。このように、一対の第１折込片相当部の一部が、連結壁相当部に貼付され、一対の第２折込片相当部の一部が、前方側壁相当部に貼付されていることにより、連結壁相当部が、第１折込片相当部に補助されてこの第１折込片相当部を介して折り起こされるとともに、前方側の側壁相当部が、第２折込片相当部に補助されてこの第２折込片相当部を介して折り起こされることとなり、連結壁相当部を折り起こす工程や、前方側の覆い壁相当部を折り起こす工程における作業量を低減することができ、かつ、容易に左右の側壁を二重壁に形成することができるから、組立作業性の向上を図ることができる。
【００２３】
請求項４記載の包装用紙箱の展開体によれば、左右の側壁相当部を、底壁相当部に対して、左右方向の互いに離れる側に折り起こすことで、連結壁相当部が、第１折込片相当部を介して折り起こされるとともに、前方側の側壁相当部が、第２折込片相当部を介して折り起こされ、これと同時に第２折り筋を折り目として折られて、前方底側外壁と、前方底側内壁と、前方上壁と、を有する前方側の側壁が形成されることとなり、よって、左右の側壁相当部を、底壁相当部に対して、左右方向の互いに離れる側に折り起こす一工程で、連結壁と、底壁の左右及び前方側の縁に立設される３つの側壁と、が略同時に形成される。これと略同時に、左右及び前方側の側壁を二重壁に形成することができる。
【００２４】
また、左右側覆い壁相当部を、天壁相当部に対して、左右方向の互いに離れる側に折り起こすことで、第３折込片相当部を介して前方側の覆い壁相当部が折り起こされて、前方天側外壁と、前方天側内壁と、を有する前方側の側壁が形成されることとなり、よって、左右側覆い壁相当部を、天壁相当部に対して、左右方向の互いに離れる側に折り起こす一工程で、天壁の左右及び前方側の縁に立設される３つの覆い壁が形成される。つまり、工程数を増加させることなく前方側の側壁と、前方側の覆い壁とを形成することができる。これと略同時に、前方側の側壁を二重壁に形成することができる。従って、より一層、組立作業性の向上を図ることができる。
【００２５】
請求項５記載の包装用紙箱の展開体によれば、機械を用いずに、例えば手作業で種々の折り目を形成した場合よりも、生産性の向上を図りつつ、より大きな力が付与される。特に、組立状態において、覆い壁を、箱本体の側壁に近付く方向に作用する復元力をより大きくすることができる。従って、生産性の向上を図りつつ、より一層、組立状態における包装用紙箱を、所定形状を安定的に維持しつつ、箱形状を美しいものとすることができる。
【００２６】
請求項６記載の包装用紙箱の展開体によれば、一対の第１折込片相当部が、第１折込片相当部と天側外壁相当部との間にスリットを有し、底側外壁相当部に連続形成されている場合には、第１折込片相当部が、該第１折込片相当部と底側外壁相当部との境界を折り目として内側に折り込まれることとなり、包装用紙箱が組み立てられた状態で、蓋を開けた際にも、連結壁が、第１折込片を介して左右の側壁と連結して設けられていることとなり、底壁、３つの側壁及び連結壁からなる箱本体の形状を保持することができる。また、第１折込片相当部と底側外壁相当部との間にスリットを有し、天側外壁相当部に連続形成されている場合には、第１折込片相当部が、該第１折込片相当部と天側外壁相当部との境界を折り目として内側に折り込まれることとなり、包装用紙箱が組み立てられた状態で、天側外壁相当部の後端の切断線が露出されることがなくなるから、箱形状を美しいものとすることができる。
【００２７】
請求項７記載の包装用紙箱によれば、左右の側壁が二重壁に形成されているから、複数の包装用紙箱を、上下に積み重ねた際においても押し潰されることがなくなって、上下方向の強度を確保することができる。また、左右及び前方側の覆い壁が、左右及び前方側の側壁のそれぞれを覆うことにより、従来の包装箱のように、箱本体と蓋体との間に隙間が生じなくなって、箱本体内に収容された内容物が飛び出すことを防止することができる。このような包装用紙箱を、内側に折られた左右側側壁相当部を、底壁相当部に対して、左右方向の互いに離れる側に折り起こし、内側に折られた左右側覆い壁相当部を、天壁相当部に対して、左右方向の互いに離れる側に折り起こす容易な作業で形成することができる。さらに、包装用紙箱は、１枚のシートが折られることで形成されているので、低コストで製造することができる。
【００２８】
さらに、蓋体は、内側に折られた左右側覆い壁相当部を、天壁相当部に対して、左右方向の互いに離れる側に折り起こすことで組み立てられるから、包装用紙箱が組み立てられた状態で、覆い壁は、箱本体の側壁に近付く方向に作用する復元力が生じる。即ち、覆い壁は側壁に近付けられる力が作用した状態で設けられることとなり、よって、組立状態の包装用紙箱を、所定形状を安定的に維持しつつ、箱形状を美しいものとすることができる。即ち、組立作業性の向上を図りつつ、組立状態において、所定形状を安定的に維持しつつ、箱形状が美しい包装用紙箱を提供することができる。
【００２９】
請求項８記載の包装用紙箱によれば、立設板が、左右の側壁が左右方向の互いに近づく側に倒れないように当該左右方向の側壁を支持することとなる。また、立設板が、連結壁の内面に対向して設けられていることにより、例えば、箱本体に内容物を収容して積み重ねた場合において、最も座屈し易い連結壁が補強されることとなり、包装用紙箱全体の上下方向の強度を向上させることができる。従って、例えば、包装用紙箱に内容物を収容して積み重ねた場合の耐荷重性を向上させることができる。また、立設板が設けられることにより、蓋が開いた状態においても箱本体内側の空間が維持されることとなり、開口状態の包装用紙箱の形状を、美しいものとすることができる。
【図面の簡単な説明】
【００３０】
【図１】本発明の一実施の形態にかかる包装用紙箱を示す斜視図であり、（Ａ）は蓋が閉まった状態、（Ｂ）は蓋が途中まで開いた状態をそれぞれ示すものである。
【図２】図１に示された包装用紙箱の展開体を示す平面図である。
【図３】図２に示された包装用紙箱の展開体から、包装用紙箱を組み立てる様子を示す斜視図である。
【図４】図２に示された包装用紙箱の展開体の製造前の、１枚の紙材に打ち抜き加工が施されて構成されたシートを示す平面図である。
【図５】図２に示された包装用紙箱の展開体が製造される様子を示す平面図である。
【図６】図１に示された包装用紙箱の変形例を示す斜視図であり、蓋が開いた状態を示すものである。
【図７】（Ａ）は、図１に示された包装用紙箱に組み付けられる支持板が包装用紙箱に組み付けられる様子を示す斜視図であり、（Ｂ）は、（Ａ）に示された支持板が包装用紙箱に組み付けられた状態を示す斜視図である。
【図８】（Ａ）は、図７に示された支持板の変形例を示す図であり、（Ｂ）は、（Ａ）に示された支持板の展開状態を示す図である。
【図９】特許文献１に記載された従来の包装箱の一例を示す斜視図である。
【発明を実施するための形態】
【００３１】
以下、本発明、例示的一態様である実施形態にかかる包装用紙箱及びその展開体、並びに、包装用紙箱の展開体の製造方法を、図１〜図８を参照して説明する。
【００３２】
（包装用紙箱）
図１〜図８において、符号１は、本発明の一実施の形態にかかる包装用紙箱である。この包装用紙箱１は、上方に開口を有する箱本体２と、この箱本体２の開口を覆う「覆う位置」と当該開口を露出する「露出位置」に回動自在な蓋体３と、これら箱本体２及び蓋体３とを連結する連結壁４と、この連結壁４に連続形成されて、蓋体３を「覆う位置」に向かって引き寄せる一対の第１折込片５と、箱本体２の前方側の内隅部に設けられた一対の第２折込片６と、蓋体３の前方側の内隅部に設けられた一対の第３折込片７と、を一体に備えて構成されている。この包装用紙箱１は、１枚の紙材に打ち抜き加工を施して形成されたシート１０１を、所定位置を折り目として折り畳んで全体として厚みの少ない板状に形成した「包装用紙箱の展開体１Ａ（図２に示す）」が、所定位置を折り目として折り起こされることで形成されている。
【００３３】
箱本体２は、前後左右に４つの縁ａ、ｆ、ｓを有する長方形状の底壁８と、この底壁８の左右及び前方側の各縁ａ、ｆから立設される３つの側壁９、１０、１１と、を備えて構成されている。ここで、本明細書では、包装用紙箱１の奥行き方向を矢印Ｙで示し、包装用紙箱１の幅方向を矢印Ｘで示し、底壁８の厚さ方向であるとともに、これらの矢印Ｙと矢印Ｘとの双方向に直交する方向を矢印Ｚで示す。さらに、矢印Ｙ方向を前後方向と記し、矢印Ｘ方向を左右方向と記し、矢印Ｚ方向を上下方向又は高さ方向と記す場合がある。また、前後方向のうち、図１における手前側を「前方」と記し、奥側を「後方」と記す。なお、図４は、包装用紙箱の展開体の製造前の、１枚の紙材に打ち抜き加工が施されて構成されたシートを示す平面図である。図４においては、包装用紙箱１の内面側となるシート１０１の裏面が上方を向いており、包装用紙箱１の外面側となるシート１０１の表面が下方を向いている。ここで、本明細書において用いられる「折り目」や「折り筋」や「縁」や「境界」に付与する符号は、図４のみに記載するものとし、同一部位に対して、例え名称が異なる場合であったとしても同じ符号を付す。また、本明細書において用いられる各「折り目」は、それぞれ、シート１０１にプレス加工が施されることで形成されるものであり、シート１０１の所定位置を折り易くするために形成されている。
【００３４】
３つの側壁９、１０、１１のうち左右の側壁９、１０は、それぞれ、底壁８の縁ａに連続形成された第１、第２底側外壁（底側外壁）２０、２１と、各第１、第２底側外壁２０、２１に対向する第１、第２底側内壁（底側内壁）２２、２３と、これら第１、第２底側外壁２０、２１及び第１、第２底側内壁２２、２３を上方側で連結するとともに底壁８と対向する第１、第２上壁（上壁）２４、２５と、各第１、第２底側内壁２２、２３の下方側に連続形成され、かつ、底壁８の内面に貼付される第１、第２底壁貼付部（底壁貼付部）２６、２７と、を備えている。第１底壁貼付部２６は、第２底壁貼付部２７と左右対称に設けられている。このように、左右対称に設けられた部位にあっては、図面の角度により隠れて見えない場合がある。このような場合には、図面に現れる側のみ図示することで、他方の図示を省略する場合がある。また、符号２６のように、図示を省略した部位にあっては、第１底壁貼付部２６に相当する第１底壁貼付相当部２６Ａや、第１底壁貼付相当部２６Ａと成る第１底板貼付板１２６の図示を以ってこの図示を省略する場合がある。
【００３５】
なお、包装用紙箱１における１桁番台、２桁番台の符号が示す部位は、包装用紙箱の展開体の製造方法における１００番台の符号において下２桁が一致する符号が付された部位に相当する。従って、包装用紙箱の展開体の製造方法における１００番台の符号が付された部位の図示を以て、包装用紙箱１の符号の図示を省略する場合がある。
【００３６】
左右の側壁９、１０は、それぞれ、底壁８と各第１、第２底側外壁２０、２１との境界を折り目ａとして山折りに折られ、各第１、第２底側外壁２０、２１と各第１、第２上壁２４、２５との境界を折り目ｂ（第１折り筋）として山折りに折られ、各第１、第２上壁２４、２５と各第１、第２底側内壁２２、２３との境界を折り目ｃとして山折りに折られ、各第１、第２底側内壁２２、２３と各第１、第２底壁貼付部２６、２７との境界を折り目ｄとして谷折りに折られて形成されている。
【００３７】
ここで、本明細書における「山折り」とは、図４に示すシート１０１における表面側から見て山型形状となるように折ること、「谷折り」とは、図４に示すシート１０１における表面側から見て谷型形状となるように折ることをそれぞれ記す。
【００３８】
各第１、第２底側外壁２０、２１は、底壁８の左右の各縁ａから立設して設けられている。各第１、第２底側内壁２２、２３は、底壁８と各第１、第２底側外壁２０、２１との境界（底壁８の左右の縁ａ）よりも、各第１、第２上壁２４、２５の幅寸法（左右寸法）分だけ内側に、各第１、第２底側外壁２０、２１と平行状態で設けられている。各第１、第２底側内壁２２、２３の前後の両端には、それぞれ、一対の底側突出片２８が設けられている。また、各第１、第２底側内壁２２、２３は、その前端が切り欠かれることで、各第１、第２上壁２４、２５の前端よりも後方側に設けられていて、一対の底側突出片２８のうち、前方側の底側突出片２８は、前方側の側壁１１の第３底側内壁３２よりも前側に重ねて設けられている。前方側の底側突出片２８は、各第１、第２底側内壁２２、２３の前端部において、各第１、第２底側内壁２２、２３と底側突出片２８との境界を折り目ｅとして谷折りに折られることで、各第１、第２底側内壁２２、２３の前方側の底側突出片２８同士が左右方向（矢印Ｘ方向）の互いに近付く側に突出して設けられている。各前方側の底側突出片２８は、底壁８から離間し上端側に偏って設けられている。また、各第１、第２底側外壁２０、２１と各第１、第２底側内壁２２、２３との間には、各第１、第２底壁貼付部２６、２７から各第１、第２底側外壁２０、２１に向かって延出して形成された延出片２９が設けられている。この延出片２９は、各第１、第２底側内壁２２、２３を、各第１、第２上壁２４、２５の幅寸法分（延出片２９の延出方向分）だけ内側に位置決めするために形成されたものであり、その延出寸法が、各第１、第２上壁２４、２５の幅寸法（左右寸法）と略等しい寸法になるように形成されている。この延出片２９は、各第１、第２底側内壁２２、２３に切込み１２９（図４に示す）を形成することで得られたものであり、各第１、第２底壁貼付部２６、２７と各第１、第２底側内壁２２、２３との境界と平行な辺を有する台形状に形成されている。
【００３９】
３つの側壁９、１０、１１のうち前方側の側壁１１（以下、前方側壁１１と記す）は、底壁８の前方側の縁ｆに連続形成された第３底側外壁３１と、この第３底側外壁３１に対向する第３底側内壁３２と、これら第３底側外壁３１及び第３底側内壁３２を上方側で連結するとともに底壁８と対向する第３上壁３３と、第３底側内壁３２の下方側に連続形成され、かつ、底壁８に重なる底壁重ね部（前方底壁重ね部）３４と、を備えている。
【００４０】
前方側壁１１は、底壁８と第３底側外壁３１との境界を折り目ｆとして山折りに折られ、第３底側外壁３１と第３上壁３３との境界を折り目ｇとして山折りに折られ、第３上壁３３と第３底側内壁３２との境界を折り目ｈとして山折りに折られ、第３底側内壁３２と底壁重ね部３４との境界を折り目ｉとして谷折りに折られて形成されている。
【００４１】
第３底側外壁３１は、底壁８の前方の縁ｆから立設して設けられている。第３底側内壁３２は、底壁８と第３底側外壁３１との境界（底壁８の前方側の縁ｆ）よりも、第３上壁３３の幅寸法（前後寸法）分だけ内側に設けられている。第３底側外壁３１と第３上壁３３とは、左右寸法が、相互に略等しい寸法になるように、また、底壁８の左右の縁ａ間の寸法（第１、第２底側外壁２０、２１間の寸法）と略等しい寸法になるように形成されている。第３底側内壁３２と底壁重ね部３４とは、左右寸法が、第１、第２上壁２４、２５の合計の幅寸法分だけ、第３底側外壁３１及び第３上壁３３の左右寸法よりも小さくなるように形成されている。
【００４２】
また、左右の側壁９、１０と前方側壁１１との内隅部には、各第１、第２底側内壁２２、２３と第３底側内壁３２との係止状態を維持するための底側係止部３５が設けられている。底側係止部３５は、第３底側内壁３２の下端部辺りから左右方向（矢印Ｘ方向）の互いに近付く側に延出形成された底側係止片３６と、各第１、第２底側内壁２２、２３に設けられて底側係止片３６を係止させる底側係止受け部３７と、を備えている。底側係止受け部３７は、各第１、第２底側内壁２２、２３の前方側の縁ｅの一部であり、各第１、第２底側内壁２２、２３の底側突出片２８の下方側に設けられている。このような底側係止部３５は、底側係止片３６が、底側係止受け部３７を乗り上げ、底側係止受け部３７よりも前方側に乗り越えて、底側係止片３６が底側係止受け部３７を係止して、各第１、第２底側内壁２２、２３と第３底側内壁３２との係止状態を維持している。
【００４３】
蓋体３は、箱本体２の開口を覆う長方形状の天壁１２と、この天壁１２の左右及び前方側の各縁ｊ、ｐから立設されて箱本体２の３つの側壁９、１０、１１をそれぞれ覆う３つの覆い壁１３、１４、１５と、を備えて構成されている。天壁１２は、その左右寸法及び前後寸法が、底壁８の左右寸法及び前後寸法よりも僅かに大きくなるように形成されている。
【００４４】
３つの覆い壁１３、１４、１５のうち左右の覆い壁１３、１４は、それぞれ、天壁１２の各縁ｊに連続形成された第１、第２天側外壁（天側外壁）４０、４１と、各第１、第２天側外壁４０、４１に対向する第１、第２天側内壁（天側内壁）４２、４３と、各第１、第２天側内壁４２、４３の上方側に連続形成され、かつ、天壁１２の内面に貼付される第１、第２天壁貼付部（天壁貼付部）４４、４５と、を備えている。天壁１２は、その左右寸法が、底壁８の左右寸法よりも、少なくとも紙厚さ寸法分だけ大きくなるように形成されている。第１、第２天側内壁４２、４３は、その高さ寸法が、第１、第２天側外壁４０、４１の高さ寸法よりも僅かに小さくなるように形成されている。また、第１、第２天壁貼付部４４、４５の裏面が、天壁１２と第１、第２天側外壁４０、４１との境界よりも僅かに内側（左右方向の互いに近付く側）で、天壁１２の裏面に貼付されている。このように、第１、第２天側内壁４２、４３の高さ寸法が、第１、第２天側外壁４０、４１の高さ寸法よりも僅かに小さくなるように形成され、第１、第２天壁貼付部４４、４５の裏面が、天壁１２と第１、第２天側外壁４０、４１との境界よりも僅かに内側で、天壁１２の裏面に貼付されていることにより、包装用紙箱１の組立状態でかつ蓋体３が箱本体２の開口を覆った状態において、第１、第２天側外壁４０、４１は、その天壁１２側の上端から底壁８側の下端に向かうに従って、左右の側壁９、１０に近付くように傾斜して設けられている。
【００４５】
左右の覆い壁１３、１４は、それぞれ、天壁１２と各第１、第２天側外壁４０、４１との境界を折り目ｊとして山折りに折られ、各第１、第２天側外壁４０、４１と各第１、第２天側内壁４２、４３との境界を折り目ｋとして山折りに折られ、各第１、第２天側内壁４２、４３と各第１、第２天壁貼付部４４、４５との境界を折り目ｍとして谷折りに折られて形成されている。
【００４６】
各第１、第２天側外壁４０、４１は、天壁１２の左右の各縁ｊから立設して設けられている。各第１、第２天側内壁４２、４３は、その前端が、前方側の覆い壁１５の第３天側外壁５１の前端より僅かに後方側に設けられている。また、各第１、第２天側内壁４２、４３の前端には、前方側の覆い壁１５の第３天側内壁５２よりも前側に重ねて設けられる一対の天側突出片４６が設けられている。一対の天側突出片４６は、各第１、第２天側内壁４２、４３の前端部において、各第１、第２天側内壁４２、４３と天側突出片４６との境界を折り目ｎとして谷折りに折られることで、一対の天側突出片４６が左右方向（矢印Ｘ方向）の互いに近付く側に突出して設けられている。一対の天側突出片４６は、天壁１２から離間し下端側に偏って設けられている。
【００４７】
３つの覆い壁１３、１４、１５のうち前方側の覆い壁１５（以下、前方覆い壁１５と記す）は、天壁１２の前方側の縁ｐに連続形成された第３天側外壁５１と、この第３天側外壁５１に対向する第３天側内壁５２と、第３天側内壁５２の上方側に連続形成され、かつ、天壁１２に重なる天壁重ね部（前方天壁重ね部）５３と、を備えている。
【００４８】
前方覆い壁１５は、天壁１２と第３天側外壁５１との境界を折り目ｐとして山折りに折られ、第３天側外壁５１と第３天側内壁５２との境界を折り目ｑとして山折りに折られ、第３天側内壁５２と第３天側重ね部５３との境界を折り目ｒとして谷折りに折られて形成されている。
【００４９】
第３天側外壁５１は、天壁１２の前方の縁ｐから立設して設けられている。第３天側内壁５２は、天壁１２と第３天側外壁５１との境界（天壁１２の前方側の縁ｐ）よりも、僅かに後方側に設けられている。第３天側外壁５１と第３天側内壁５２と天壁重ね部５３は、左右寸法が、相互に略等しい寸法になるように、また、天壁１２の左右の縁ｊ間の寸法（第１、第２天側外壁４０、４１間の寸法）と略等しい寸法になるように形成されている。
【００５０】
また、左右の覆い壁１３、１４と前方覆い壁１５との内隅部には、各第１、第２天側内壁４２、４３と第３天側内壁５２との係止状態を維持するための天側係止部５４が設けられている。天側係止部５４は、第３天側内壁５２の上端部辺りから左右方向（矢印Ｘ方向）の互いに離れる側に延出形成された天側係止片５５と、各第１、第２天側内壁４２、４３に設けられて天側係止片５５を係止させる天側係止受け部５６と、を備えている。天側係止受け部５６は、各第１、第２天側内壁４２、４３の前方側の縁ｎの一部であり、各第１、第２天側内壁４２、４３の天側突出片４６の上方側に設けられている。このような天側係止部５４は、天側係止片５５が、天側係止受け部５６を乗り上げ、天側係止受け部５６よりも前方側に乗り越えて、天側係止片５５が天側係止受け部５６を係止して、各第１、第２天側内壁４２、４３と第３天側内壁５２との係止状態を維持している。
【００５１】
連結壁４は、底壁８と天壁１２との間に設けられ、これら壁８、１２間に連続形成されている。また、連結壁４は、その左右寸法が、底壁８の左右の縁ａ間の寸法（第１、第２底側外壁２０、２１間の寸法）と略等しい寸法になるように形成されていて、上下寸法が、第１、第２底側外壁２０、２１の上下寸法と略等しい寸法になるように形成されている。
【００５２】
連結壁４は、連結壁４と底壁８との境界を折り目ｓとして山折りに折られ、連結壁４と天壁１２との境界を折り目ｔとして山折りに折られて形成されている。
【００５３】
一対の第１折込片５は、左右の側壁９、１０と連結壁４との間に設けられている。一対の第１折込片５は、それぞれ、各第１、第２底側外壁２０、２１の後方側の縁５ｂ、及び、連結壁４の左右の縁５ａ、に連続形成されているとともに、連結壁４と第１折込片５との境界を折り目５ａとして山折りに折られ、各第１、第２底側外壁２０、２１と第１折込片５との境界を折り目５ｂとして山折りに折られ、かつ、第１折込片５を対角線で２等分するようにその中心（中途）を折り目５ｃとして谷折りに折り込まれることで形成されている。第１折込片５を２等分するよう折られることで形成された一対の第１分割部５０のうち、連結壁４側に設けられた一方は、連結壁４の裏面に接着固定されている。一対の第１分割部５０の境界は、蓋体３が「覆い位置」に位置した状態で、底壁８の後方側の左右の角部から、左右方向（矢印Ｘ方向）の互いに近付く側に向かうに従って、底壁８の後方側の縁ｓから上方に向かって離隔するように延在して設けられている。
【００５４】
一対の第２折込片６は、左右の側壁９、１０と前方側壁１１との間に設けられている。一対の第２折込片６は、それぞれ、各第１、第２底側外壁２０、２１の前方側の縁６ｂ、及び、第３底側外壁３１の左右の縁６ａ、に連続形成されているとともに、第３底側外壁３１と第２折込片６との境界を折り目６ａとして山折りに折られ、各第１、第２底側外壁２０、２１と第２折込片６との境界を折り目６ｂとして山折りに折られ、かつ、第２折込片６を対角線で２等分するようにその中心（中途）を折り目６ｃとして谷折りに折り込まれることで形成されている。第２折込片６を２等分するよう折られることで形成された一対の第２分割部６０のうち、第３底側外壁３１側に設けられた一方は、第３底側外壁３１の裏面に接着固定されている。一対の第２分割部６０の境界は、蓋体３が「覆い位置」に位置した状態で、底壁８の前方側の左右の角部から、左右方向（矢印Ｘ方向）の互いに近付く側に向かうに従って、底壁８の前方側の縁ｆから上方に向かって離隔するように延在して設けられている。
【００５５】
また、各第２折込片６には、前方側壁１１の第３底側外壁３１と第３底側内壁３２との間に設けられて、一対の第２分割部６０が対角線を中心に折られた状態から開くことを防止する開き防止片６１が設けられている。この開き防止片６１の前後方向（矢印Ｙ方向）の寸法は、第３上壁３３の前後方向の寸法よりも僅かに小さくなるように形成されている。開き防止片６１は、第２折込片６の他方の第２分割部６０の上縁部に連続形成されるとともに、他方の第２分割部６０との境界を折り目６ｄとして山折りに折られることで、後方に向かって延出して設けられている。
【００５６】
このような開き防止片６１は、第２折込片６の他方の第２分割部６０の上縁部に連続形成されるとともに、後方に向かって延出して設けられているので、第３上壁３３の下側に、この第３上壁３３に対向した状態で、第３底側内壁３２を後方に向かって押し出している。そして、包装用紙箱１の組立状態において、開き防止片６１により第３底側内壁３２が後方に押されることで、第３底側外壁３１が後方に向かって引っ張られることとなる。そして、一対の第２分割部６０の折りが折り戻されるように生じる復元力に抗して、一対の第２分割部６０が対角線を中心に開くことを防止している。このように開き防止片６１も、所定形状を安定的に維持しつつ、箱形状を美しいものとすることに貢献している。
【００５７】
一対の第３折込片７は、左右の覆い壁１３、１４と前方覆い壁１５との間に設けられている。一対の第３折込片７は、それぞれ、各第１、第２天側外壁４０、４１の前方側の縁７ｂ、及び、第３天側外壁５１の左右の縁７ａ、に連続形成されているとともに、第３天側外壁５１と第３折込片７との境界を折り目７ａとして山折りに折られ、各第１、第２天側外壁４０、４１と第３折込片７との境界を折り目７ｂとして山折りに折られ、かつ、第３折込片７を対角線で２等分するようにその中心（中途）を折り目７ｃとして谷折りに折り込まれることで形成されている。第３折込片７を２等分するよう折られることで形成された一対の第３分割部７０のうち、第３天側外壁５１側に設けられた一方は、第３天側外壁５１の裏面に接着固定されている。一対の第３分割部７０の境界は、蓋体３が「覆い位置」に位置した状態で、天壁１２の前方側の左右の角部から、左右方向（矢印Ｘ方向）の互いに近付く側に向かうに従って、天壁１２の前方側の縁ｐから下方に向かって離隔するように延在して設けられている。
【００５８】
このように構成された包装用紙箱１は、箱本体２の開口を覆う「覆う位置」と当該開口を露出する「露出位置」に、蓋体３が箱本体２に対して回動自在に変位する。また、３つの側壁９、１０、１１は、それぞれ、第１、第２、第３底側外壁２０、２１、３１及び第１、第２、第３底側内壁２２、２３、３２が底壁８に立設して設けられ、第１、第２、第３上壁２４、２５、３３が底壁８と対向して設けられた額縁状に形成されている。このように、３つの側壁９、１０、１１が額縁状に設けられているから、包装用紙箱１として、高級感を有し、外部からの衝撃を防ぐ緩衝性に優れたものを形成することができる。また、これら３つの側壁９、１０、１１は、第１、第２、第３底側外壁２０、２１、３１及び第１、第２、第３底側内壁２２、２３、３２を有する二重壁に設けられているから、上下方向の強度を向上させることができる。また、左右及び前方側の覆い壁１３、１４、１５が、左右及び前方側の側壁９、１０、１１のそれぞれを覆うことにより、箱本体２内に収容された内容物が飛び出すことを防止することができる。
【００５９】
（包装用紙箱の展開体）
続いて、本実施形態の包装用紙箱の展開体１Ａを、図２、図３、図４を参照して説明する。
【００６０】
図２において、符号１Ａは、本発明の一実施の形態にかかる包装用紙箱の展開体である。この包装用紙箱の展開体１Ａは、前述したように、１枚の紙材に打ち抜き加工を施して形成されたシート１０１を、所定位置を折り目として折り畳んで全体として厚みの少ない板状に形成されている。このシート１０１は、その表面が、包装用紙箱１の外面を構成するように設けられ、その裏面が包装用紙箱１の内面を構成するように用いられている。
【００６１】
包装用紙箱の展開体１Ａは、底壁８に相当する底壁相当部８Ａ、天壁１２に相当する天壁相当部１２Ａ、連結壁４に相当する連結壁相当部４Ａ、第３底側外壁３１に相当する第３底側外壁相当部３１Ａ、第３天側外壁５１に相当する第３天側外壁相当部５１Ａ、が同一平面上に設けられている。
【００６２】
左右の側壁９、１０に相当する左右側側壁相当部９Ａ、１０Ａは、第１、第２底側外壁２０、２１に相当する第１、第２底側外壁相当部（底側外壁相当部）２０Ａ、２１Ａと、第１、第２底側内壁２２、２３に相当する第１、第２底側内壁相当部（底側内壁相当部）２２Ａ、２３Ａと、第１、第２上壁２４、２５に相当する第１、第２上壁相当部（上壁相当部）２４Ａ、２５Ａと、第１、第２底壁貼付部２６、２７に相当する第１、第２底壁貼付相当部２６Ａ、２７Ａと、を備えている。
【００６３】
左右側側壁相当部９Ａ、１０Ａは、第１、第２底側外壁相当部２０Ａ、２１Ａと底壁相当部８Ａとの境界を折り目ａとして、第１、第２底側外壁相当部２０Ａ、２１Ａが底壁相当部８Ａの裏面に対向するように折られ、第１、第２底側内壁相当部２２Ａ、２３Ａと第１、第２上壁相当部２４Ａ、２５Ａとの境界を折り目ｃとして、第１、第２底側外壁相当部２０Ａ、２１Ａと第１、第２上壁相当部２４Ａ、２５Ａとの裏面同士が対向するように折られ、第１、第２底側内壁相当部２２Ａ、２３Ａと第１、第２底壁貼付相当部２６Ａ、２７Ａとの境界を折り目ｄとして、第１、第２底側内壁相当部２２Ａ、２３Ａと第１、第２底壁貼付相当部２６Ａ、２７Ａとの表面同士が対向するように折られ、この状態で、第１、第２底壁貼付相当部２６Ａ、２７Ａの裏面が、底壁相当部８Ａと第１、第２底側外壁相当部２０Ａ、２１Ａとの境界よりも第１、第２上壁相当部２４Ａ、２５Ａの左右方向（矢印Ｘ方向）の寸法分だけ内側で、底壁相当部８Ａの裏面に接着固定されている。また、底側突出片２８に相当する底側突出片相当部２８Ａにおいて、前方側の底側突出片２８に相当する底側突出片相当部２８Ａは、その表面が、底壁相当部８Ａと第３底側外壁３１に相当する第３底側外壁相当部３１Ａとの境界ｆを跨ぎつつこれらの裏面に対向して設けられている。また、延出片２９に相当する延出片相当部２９Ａは、その裏面が、底壁相当部８Ａの裏面における第１、第２底側内壁相当部２２Ａ、２３Ａと第１、第２底側外壁相当部２０Ａ、２１Ａとの間に接着固定されている。さらに、第１、第２上壁相当部２４Ａ、２５Ａと第１、第２底側外壁相当部２０Ａ、２１Ａとの境界には、折り目ｂ（以下、第１折り筋ｂと記す場合がある）が設けられている。
【００６４】
ここで、各第１、第２底壁貼付相当部２６Ａ、２７Ａには、その前端部に切欠き１２６ａ、１２７ａが形成されている。このように、各第１、第２底壁貼付相当部２６Ａ、２７Ａに切欠き１２６ａ、１２７ａが形成されて、後述する底壁重ね相当部３４Ａにもその左右方向（矢印Ｘ方向）の両端部に切欠き１３４ａが形成されていることで、包装用紙箱１の組立状態、及び、包装用紙箱の展開体１Ａにおいて、各第１、第２底壁貼付相当部２６Ａ、２７Ａと、底壁重ね相当部３４Ａと、が上下に重ならないようになっている。また、各第１、第２天壁貼付相当部４４Ａ、４５Ａには、その前端部に切欠き１４４ａ、１４５ａが形成されている。このように、各第１、第２天壁貼付相当部４４Ａ、４５Ａに切欠き１４４ａ、１４５ａが形成されて、後述する天壁重ね相当部５３Ａにもその左右方向（矢印Ｘ方向）の両端部に切欠き１５３ａが形成されていることで、包装用紙箱１の組立状態、及び、包装用紙箱の展開体１Ａにおいて、各第１、第２天壁貼付相当部４４Ａ、４５Ａと、天壁重ね相当部５３Ａと、が上下に重ならないようになっている。
【００６５】
前方側壁１１に相当する前方側壁相当部１１Ａは、第３底側外壁３１に相当する第３底側外壁相当部３１Ａと、第３底側内壁３２に相当する第３底側内壁相当部３２Ａと、第３上壁３３に相当する第３上壁相当部３３Ａと、底壁重ね部３４に相当する底壁重ね相当部３４Ａと、を備えている。
【００６６】
前方側壁相当部１１Ａは、第３底側外壁相当部３１Ａと第３上壁相当部３３Ａとの境界を折り目ｇとして、第３底側外壁相当部３１Ａと第３上壁相当部３３Ａとの裏面同士が対向するように折られている。そして、第３底側外壁相当部３１Ａ、第３上壁相当部３３Ａ、及び、底壁重ね相当部３４Ａが、底壁相当部８Ａとの間に、左右側側壁相当部９Ａ、１０Ａ、及び、第２折込片相当部６Ａを挟んで重ねて設けられている。
【００６７】
また、第３上壁相当部３３Ａと第３底側内壁相当部３２Ａとの境界には、当該境界を折り目ｈとして山折りに折られることで形成された第２折り筋ｈが形成されている。即ち、第２折り筋ｈは、第３上壁相当部３３Ａと第３底側内壁相当部３２Ａとの裏面同士が対向するように一旦略９０度折られ、その後、折り戻されることで形成されている。ここで、第２折り筋ｈ以外の各折り目や第１折り筋ｂは、シート１０１にプレス加工を施すことで形成された折り目であるのに対し、第２折り筋ｈは、一旦折った後、折り戻すことで形成された折り癖だから、このような第２折り筋ｈが形成されていることにより、折り目ｈを折り込む作業を簡単にすることができ、箱本体２の組立作業を容易にすることができる。
【００６８】
左右の覆い壁１３、１４に相当する左右側覆い壁相当部１３Ａ、１４Ａは、第１、第２天側外壁４０、４１に相当する第１、第２天側外壁相当部４０Ａ、４１Ａと、第１、第２天側内壁４２、４３に相当する第１、第２天側内壁相当部４２Ａ、４３Ａと、第１、第２天壁貼付部４４、４５に相当する第１、第２天壁貼付相当部４４Ａ、４５Ａと、を備えている。
【００６９】
左右側覆い壁相当部１３Ａ、１４Ａは、第１、第２天側外壁相当部４０Ａ、４１Ａと天壁相当部１２Ａとの境界を折り目ｊとして、第１、第２天側外壁相当部４０Ａ、４１Ａが天壁相当部１２Ａの裏面に対向するように折られ、第１、第２天側外壁相当部４０Ａ、４１Ａと第１、第２天側内壁相当部４２Ａ、４３Ａとの境界を折り目ｋとして、第１、第２天側外壁相当部４０Ａ、４１Ａと第１、第２天側内壁相当部４２Ａ、４３Ａとの裏面同士が対向するように折られ、第１、第２天側内壁相当部４２Ａ、４３Ａと第１、第２天壁貼付相当部４４Ａ、４５Ａとの境界を折り目ｍとして、第１、第２天側内壁相当部４２Ａ、４３Ａと第１、第２天壁貼付相当部４４Ａ、４５Ａとの表面同士が対向するように折られ、この状態で、第１、第２天壁貼付相当部４４Ａ、４５Ａの裏面が、天壁相当部１２Ａと第１、第２天側外壁相当部４０Ａ、４１Ａの境界よりも僅かに内側で、天壁相当部１２Ａの裏面に接着固定されている。また、天側突出片４６に相当する天側突出片相当部４６Ａは、その表面が、天壁相当部１２Ａと第３天側外壁５１に相当する第３天側外壁相当部５１Ａとの境界ｐを跨ぎつつこれらの裏面に対向して設けられている。
【００７０】
前方覆い壁１５に相当する前方覆い壁相当部１５Ａは、第３天側外壁５１に相当する第３天側外壁相当部５１Ａと、第３天側内壁５２に相当する第３天側内壁相当部５２Ａと、天壁重ね部５３に相当する天壁重ね相当部５３Ａと、を備えている。
【００７１】
前方覆い壁相当部１５Ａは、第３天側外壁相当部５１Ａと第３天側内壁相当部５２Ａとの境界を折り目ｑとして、第３天側外壁相当部５１Ａと第３天側内壁相当部５２Ａとの裏面同士が対向するように折られている。そして、第３天側内壁相当部５２Ａ、及び、天壁重ね相当部５３Ａが、天壁相当部１２Ａとの間に、左右側覆い壁相当部１３Ａ、１４Ａ、及び、第３折込片相当部７Ａを挟んで重ねて設けられている。
【００７２】
一対の第１折込片５に相当する一対の第１折込片相当部５Ａは、連結壁相当部４Ａとの境界を折り目５ａとして、第１折込片相当部５Ａが連結壁相当部４Ａの裏面に対向するように折られている。この状態で、一対の第１分割部５０に相当する一対の第１分割相当部５０Ａのうち、連結壁相当部４Ａ側に設けられた一方は、その裏面が、連結壁相当部４Ａの裏面に接着固定されている。一対の第１分割部５０は、請求項中の「第１三角片」と「第２三角片」とに相当する。
【００７３】
一対の第２折込片６に相当する一対の第２折込片相当部６Ａは、第３底側外壁相当部３１Ａとの境界を折り目６ａとして、第２折込片相当部６Ａが第３底側外壁相当部３１Ａの裏面に対向するように折られている。この状態で、一対の第２分割部６０に相当する一対の第２分割相当部６０Ａのうち、第３底側外壁相当部３１Ａ側に設けられた一方は、その裏面が、第３底側外壁相当部３１Ａの裏面に接着固定されている。さらに、一対の第２折込片相当部６Ａには、開き防止片６１に相当する開き防止片相当部６１Ａが設けられている。
【００７４】
一対の第３折込片７に相当する一対の第３折込片相当部７Ａは、第３天側外壁相当部５１Ａとの境界を折り目７ａとして、第３折込片相当部７Ａが第３天側外壁相当部５１Ａの裏面に対向するように折られている。この状態で、一対の第３分割部７０に相当する一対の第３分割相当部７０Ａのうち、第３天側外壁相当部５１Ａ側に設けられた一方は、その裏面が、第３天側外壁相当部５１Ａの裏面に接着固定されている。
【００７５】
このような包装用紙箱の展開体１Ａは、全体として厚みの少ない板状に形成されている。よって、包装用紙箱１よりもコンパクトにされるとともに、平面視における面積が小さくなるように設けられているため、運送する際や保管する際のスペースの無駄を省くことができる。また、包装用紙箱の展開体１Ａは、１枚のシート１０１から形成されるため、例えば、組立状態において低背の包装用紙箱１を形成する場合には、シート１０１を略長方形状に用いることができ、紙取りよく、紙（材料）を生産性よく用いることができる。
【００７６】
続いて、包装用紙箱の展開体１Ａを用いて構成された包装用紙箱１の組立手順について、図３を参照して説明する。
【００７７】
まず、包装用紙箱の展開体１Ａの左右側側壁相当部９Ａ、１０Ａを、底壁相当部８Ａに対して、左右方向（矢印Ｘ方向）の互いに離れる側に略直角まで折り起こす。すると、連結壁相当部４Ａが、第１折込片相当部５Ａを介して折り起こされるとともに、前方側壁相当部１１Ａが、第２折込片相当部６Ａを介して折り起こされ、これと同時に、第１、第２上壁相当部２４Ａ、２５Ａと第１、第２底側外壁相当部２０Ａ、２１Ａとの境界に設けられた第１折り筋ｂを折り目として山折りに折られる。
【００７８】
そして、底壁相当部８Ａと第３底側外壁相当部３１Ａとの境界を折り目ｆとして山折りに折り、第３底側外壁相当部３１Ａと第３上壁相当部３３Ａとの境界を折り目ｇとして山折りに折り、第３上壁相当部３３Ａと第３底側内壁相当部３２Ａとの境界を折り目ｈとして山折りに折り、第３底側内壁相当部３２Ａと底壁重ね相当部３４Ａとの境界を折り目ｉとして谷折りに折って、底壁重ね相当部３４Ａを底壁相当部８Ａの裏面に重ねる。これと同時に、底側係止片３６を、底側係止受け部３７に係止し、各前方側の底側突出片２８が、第３底側内壁３２よりも前側に重ねて設けられた状態とする。この際、折り目ｈには、第３底側内板１３２と第３上板１３３との境界ｈを山折りに折り、この後、折り戻すことにより形成された第２折り筋ｈが設けられていたから、折り目ｈとして折り込む作業を簡単にすることができ、箱本体２の組立作業を容易にすることができる。
【００７９】
次に、左右側覆い壁相当部１３Ａ、１４Ａを、天壁相当部１２Ａに対して、左右方向（矢印Ｘ方向）の互いに離れる側に略直角まで折り起こす。すると、第３折込片相当部７Ａを介して前方側の覆い壁相当部１５Ａが折り起こされる。そして、天壁相当部１２Ａと第３天側外壁相当部５１Ａとの境界を折り目ｐとして山折りに折り、第３天側内壁相当部５２Ａと天壁重ね相当部５３Ａとの境界を折り目ｒとして谷折りに折って、天壁重ね相当部５３Ａを天壁相当部１２Ａの裏面に重ねる。これと同時に、天側係止片５５を、天側係止受け部５６に係止し、一対の天側突出片４６が、第３天側内壁５２よりも前側に重ねて設けられた状態とする。
【００８０】
この際、蓋体３が「露出位置」に位置して設けられているから、底壁相当部８Ａと連結壁相当部４Ａとの境界を折り目ｓとして山折りに折り、天壁相当部１２Ａと連結壁相当部４Ａとの境界を折り目ｔとして山折りに折って、蓋体３を箱本体２に対して前方側に回動させる。こうして、蓋体３が「覆う位置」に位置した状態とされる。こうして、包装用紙箱１を組み立てる。
【００８１】
このような包装用紙箱の展開体１Ａは、一対の第１折込片相当部５Ａの一部（一対の第１分割相当部５０Ａのうち、連結壁相当部４Ａ側に設けられた一方）が、連結壁相当部４Ａに貼付され、一対の第２折込片相当部６Ａの一部（一対の第２分割相当部６０Ａのうち、第３底側外壁相当部３１Ａ側に設けられた一方）が、第３底側外壁相当部３１Ａに貼付され、一対の第３折込片相当部７Ａの一部（一対の第３分割相当部７０Ａのうち、第３天側外壁相当部５１Ａ側に設けられた一方）が、第３天側外壁相当部５１Ａに貼付されているから、内側に折られた左右側側壁相当部９Ａ、１０Ａを、底壁相当部８Ａに対して、左右方向（矢印Ｘ方向）の互いに離れる側に折り起こすことで、連結壁相当部４Ａが、第１折込片相当部５Ａを介して折り起こされるとともに、前方側壁相当部１１Ａが、第２折込片相当部６Ａを介して折り起こされ、これと同時に、上壁相当部２４Ａ、２５Ａと第１、第２底側外壁相当部２０Ａ、２１Ａ（底側外壁相当部）との境界に設けられた折り筋ｂを折り目として折られることとなり、連結壁４と、底壁８の左右及び前方側の縁ａ、ｆに立設される３つの側壁９、１０、１１と、が形成される。これと略同時に、左右及び前方側の側壁９、１０、１１を二重壁に形成することができる。また、一対の第３折込片相当部７Ａの一部が、前方覆い壁相当部１５Ａに貼付されているから、左右側覆い壁相当部１３Ａ、１４Ａを、天壁相当部１２Ａに対して、左右方向（矢印Ｘ方向）の互いに離れる側に折り起こすことで、第３折込片相当部７Ａを介して前方側の覆い壁相当部１５Ａが折り起こされて、天壁１２の左右及び前方側の縁ｊ、ｐに立設される３つの覆い壁１３、１４、１５が形成される。このように、連結壁相当部４Ａが、第１折込片相当部５Ａに補助されてこの第１折込片相当部５Ａを介して折り起こされるとともに、前方側壁相当部１１Ａ（前方側の側壁相当部）が、第２折込片相当部６Ａに補助されてこの第２折込片相当部６Ａを介して折り起こされることとなり、連結壁相当部４Ａを折り起こす工程や、前方側壁相当部１１Ａ（前方側の側壁相当部）を折り起こす工程における作業量を低減することができ、かつ、容易に左右及び前方側の側壁９、１０、１１を二重壁に形成することができるから、組立作業性の向上を図ることができる。
【００８２】
さらに、蓋体３は、内側に折られた左右側覆い壁相当部１３Ａ、１４Ａを、天壁相当部１２Ａに対して、左右方向（矢印Ｘ方向）の互いに離れる側に折り起こし、内側に折られた前方側の覆い壁相当部１５Ａを、天壁相当部１２Ａに対して、前向側（矢印Ｙ方向）に折り起こすことで組み立てられるから、包装用紙箱１が組み立てられた状態で、覆い壁１３、１４は、箱本体２の側壁９、１０に近付く方向に作用する復元力が生じる。即ち、覆い壁１３、１４は、側壁９、１０に近付けられる力が作用した状態で設けられることとなり、よって、組立状態の包装用紙箱１を、所定形状を安定的に維持しつつ、箱形状を美しいものとすることができる。
【００８３】
（包装用紙箱の展開体の製造方法）
続いて、包装用紙箱の展開体１Ａの製造方法を、図４、図５を参照して説明する。
【００８４】
包装用紙箱の展開体１Ａは、１枚の紙材に打ち抜き加工を施して形成されたシート１０１から構成されている。シート１０１は、図４における手前側に、その表面が設けられ、奥側に、その裏面が設けられるように配置されている。シート１０１は、図４に示すように、箱本体２と成る箱本体群１０２と、蓋体３と成る蓋体群１０３と、連結壁相当部４Ａと成る連結板１０４と、第１折込片相当部５Ａと成る第１折込板１０５と、第２折込片相当部６Ａと成る第２折込板１０６と、第３折込片相当部７Ａと成る第３折込板１０７と、を一体に備えている。第１折込板１０５は、一対の第１分割板１５０を備えている。第２折込板１０６は、一対の第２分割板１６０と、開き防止板１６１と、を備えている。第３折込板１０７は、一対の第３分割板１７０を備えている。箱本体群１０２は、底壁相当部８Ａと成る底板１０８と、第１、第２、第３底側外壁相当部２０Ａ、２１Ａ、３１Ａと成る第１、第２、第３底側外板１２０、１２１、１３１と、第１、第２、第３底側内壁相当部２２Ａ、２３Ａ、３２Ａと成る第１、第２、第３底側内板１２２、１２３、１３２と、第１、第２、第３上壁相当部２４Ａ、２５Ａ、３３Ａと成る第１、第２、第３上板１２４、１２５、１３３と、第１、第２底壁貼付相当部２６Ａ、２７と成る第１、第２底板貼付板１２６、１２７と、底壁重ね相当部３４Ａと成る底板重ね板１３４と、を備えている。第１、第２底側内板１２２、１２３には、それぞれに、底側突出片相当部２８Ａと成る底側突出板１２８と、底側係止受け部３７と成る部位１３７と、延出片相当部２９Ａを形成するための切込み１２９と、が設けられている。第３底側内板１３２には、底側係止片相当部３６Ａと成る底側係止板１３６が設けられている。
【００８５】
蓋体３と成る蓋体群１０３は、天壁相当部１２Ａと成る天板１１２と、第１、第２、第３天側外壁相当部４０Ａ、４１Ａ、５１Ａと成る第１、第２、第３天側外板１４０、１４１、１５１と、第１、第２、第３天側内壁相当部４２Ａ、４３Ａ、５２Ａと成る第１、第２、第３天側内板１４２、１４３、１５２と、第１、第２天壁貼付相当部４４Ａ、４５Ａと成る第１、第２天板貼付板１４４、１４５と、天壁重ね相当部５３Ａと成る天板重ね板１５３と、を備えている。第１、第２天側内板１４２、１４３には、それぞれに、天側突出片相当部４６Ａと成る天側突出板１４６と、天側係止受け部５６と成る部位１５６と、が設けられている。第３天側内板１５２には、天側係止片相当部５５Ａと成る天側係止板１５５が設けられている。
【００８６】
ここで、シート１０１を折る際には、図示しないプレス機に設けられた一対のローラを用いて、シート１０１を矢印Ｙ方向の一方（箱本体群１０２側）から他方（蓋体群１０３側）に移動させつつ、シート１０１の矢印Ｘ方向の両側から内側に折り畳むように、シート１０１の各折り目を折り込んで形成されている。
【００８７】
＜接着剤塗付工程＞
図５（Ａ）に示すように、第２折込板１０６の第３底側外板１３１側の一方の第２分割板１６０の裏面に接着剤を塗付し、そして、第１折込板１０５の連結板１０４側の一方の第１分割板１５０の裏面に接着剤を塗付し、この後、第３折込板１０７の第３天側外板１５１側の一方の第３分割板１７０の裏面に接着剤を塗付する。続いて、第１、第２底板貼付板１２６、１２７の各裏面それぞれに接着剤を塗付する。この後、第１、第２天板貼付板１４４、１４５の各裏面それぞれに接着剤を塗付する。ここで、接着剤は、これら位置の全域に塗付する必要はなく、少なくとも一部に塗付されていればよい。
【００８８】
＜接着固定工程＞
この状態で、図５（Ｂ）に示すように、接着剤が硬化する前、即ち接着剤により固定される前に、第１、第２底板貼付板１２６、１２７と第１、第２底側内板１２２、１２３との境界を折り目ｄとし、第１、第２底板貼付板１２６、１２７と第１、第２底側内板１２２、１２３との表面同士が対向するように（谷折り）、第１、第２底側内板１２２、１２３と第１、第２上板１２４、１２５との境界を折り目ｃとし、第１、第２底側内板１２２、１２３と第１、第２上板１２４、１２５との裏面同士が対向するように山折りに、それぞれプレスする。そして、第２折込板１０６と第３底側外板１３１との境界を折り目６ａとし、第２折込板１０６を第３底側外板１３１の裏面に対向するように（山折り）、第１、第２底側外板１２０、１２１と底板１０８との境界を折り目ａとし、第１、第２底側外板１２０、１２１を底板１０８の裏面に対向するように（山折り）、第１折込板１０５と連結板１０４との境界を折り目５ａとし、第１折込板１０５を連結板１０４の裏面に対向するように山折りに、それぞれプレスする。続いて、第１、第２天板貼付板１４４、１４５と第１、第２天側内板１４２、１４３との境界を折り目ｍとし、第１、第２天板貼付板１４４、１４５と第１、第２天側内板１４２、１４３との表面同士が対向するように（谷折り）、第１、第２天側内板１４２、１４３と第１、第２天側外板１４０、１４１との境界を折り目ｋとし、第１、第２天側内板１４２、１４３と第１、第２天側外板１４０、１４１との裏面同士が対向するように山折りに、それぞれプレスする。そして、第１、第２天側外板１４０、１４１と天板１１２との境界を折り目ｊとして、第１、第２天側外板１４０、１４１を天板１１２の裏面に対向するように（山折り）、第３折込板１０７と第３天側外板１５１との境界を折り目７ａとし、第３折込板１０７を第３天側外板１５１の裏面に対向するように（山折り）、それぞれプレスする。この際、第１、第２天板貼付板１４４、１４５は、第１、第２天板貼付板１４４、１４５と第１、第２天側内板１４２、１４３との境界ｍが、天板１１２と第１、第２天側外板１４０、１４１との境界ｊよりも、僅かに内側（矢印Ｘ方向の互いに近付く側）に動かされ、この状態で、天板１１２の裏面に接着固定される。これと略同時に、第３折込板１０７が第３天側外板１５１の裏面に接着固定され、第２折込板１０６が第３底側外板１３１の裏面に接着固定され、第１、第２底板貼付板１２６、１２７が、底板１０８の裏面に接着固定され、第１折込板１０５が連結板１０４の裏面に接着固定される。
【００８９】
＜折込工程＞
第３底側内板１３２と第３上板１３３との境界を折り目ｈとして、第３底側内板１３２と第３上板１３３との裏面同士が対向するように山折りにプレスする。第３底側内板１３２と第３上板１３３とが山折りにプレスする前の展開状態に折り戻す。こうして、折り癖である第２折り筋ｈが形成される。続いて、第３底側外板１３１と第３上板１３３との境界を折り目ｇとして、第３底側外板１３１と第３上板１３３との間に第２折込板１０６を挟むように、第３底側外板１３１と第３上板１３３との裏面同士が対向するように山折りにプレスする。
【００９０】
また、第３天側外板１５１と第３天側内板１５２との境界を折り目ｑとして、第３天側外板１５１と第３天側内板１５２との間に第３折込板１０７を挟むように、第３天側外板１５１と第３天側内板１５２との裏面同士が対向するように山折りプレスする。こうして、図５（Ｃ）に示すように、包装用紙箱の展開体１Ａが製造される。
【００９１】
このように、包装用紙箱の展開体１Ａは、各折り目が機械を用いてプレスされることで形成されている。よって、機械を用いずに、例えば手作業で種々の折り目を形成した場合よりも、生産性の向上を図りつつ、より大きな力が付与される。特に、組立状態において、蓋体３の左右の覆い壁１３、１４を、箱本体２の左右の側壁９、１０に近付く方向に作用する復元力をより大きくすることができる。従って、生産性の向上を図りつつ、より一層、組立状態における包装用紙箱１を、所定形状を安定的に維持しつつ、箱形状を美しいものとすることができる。
【００９２】
なお、上述した実施形態では、シート１０１を折る際には、図示しないプレス機により、シート１０１を矢印Ｙ方向の一方（箱本体群１０２側）から他方（蓋体群１０３側）に移動させつつ、シート１０１の各折り目を折り込んで包装用紙箱の展開体１Ａを製造していたが、本発明はこれに限定されるものではない。図示しないプレス機により、シート１０１を矢印Ｙ方向の他方（蓋体群１０３側）から一方（箱本体群１０２側）に移動させつつ、シート１０１の各折り目を折り込んで包装用紙箱の展開体１Ａを製造してもよい。
【００９３】
また、上述した実施形態では、シート１０１を折る際には、図示しないプレス機に設けられた一対のローラを用いて、シート１０１を矢印Ｙ方向の一方（箱本体群１０２側）から他方（蓋体群１０３側）に移動させつつ、シート１０１の矢印Ｘ方向の両側から内側に折り畳むように、シート１０１の各折り目を折り込んでいたが、本発明は、これに限定されるものではなく、種々の方法を用いて、シート１０１の各折り目を折り込んで、包装用紙箱の展開体１Ａを製造してもよい。
【００９４】
以上、本発明について、好ましい実施形態を挙げて説明したが、本発明は上記実施形態の構成に限定されるものではない。
【００９５】
上述した包装用紙箱１において、第１、第２天壁貼付部４４、４５は省略してもよい。即ち、包装用紙箱の展開体１Ａにおける第１、第２天壁貼付相当部４４Ａ、４５Ａは省略してもよい。その場合には、第１、第２天側外壁相当部４０Ａ、４１Ａと第１、第２天側内壁相当部４２Ａ、４３Ａとの裏面同士がそれぞれ接着固定されていてもよい。
【００９６】
また、上述した包装用紙箱１において、一対の第１折込片５は、各第１折込片５を２等分するよう折られることで形成された一対の第１分割部５０のうち、連結壁４側に設けられた一方が、連結壁４の裏面に接着固定され、第２折込片６を２等分するよう折られることで形成された一対の第２分割部６０のうち、第３底側外壁３１側に設けられた一方が、第３底側外壁３１の裏面に接着固定され、第３折込片７を２等分するよう折られることで形成された一対の第３分割部７０のうち、第３天側外壁５１側に設けられた一方が、第３天側外壁５１の裏面に接着固定されていたが、本発明はこれらに限定されるものではなく、それぞれ接着固定されていなくともよい。即ち、一対の第１折込片相当部５Ａはその一部が連結壁相当部４Ａの裏面に、一対の第２折込片相当部６Ａはその一部が第３底側外壁相当部３１Ａの裏面に、一対の第３折込片相当部７Ａはその一部が第３天側外壁相当部５１Ａの裏面に、それぞれ接着固定されていなくともよい。この場合においても、蓋体３は、内側に折られた左右側覆い壁相当部１３Ａ、１４Ａを、天壁相当部１２Ａに対して、左右方向（矢印Ｘ方向）の互いに離れる側に折り起こし、内側に折られた前方側の覆い壁相当部１５Ａを、天壁相当部１２Ａに対して、前向側（矢印Ｙ方向）に折り起こすことで組み立てられるから、包装用紙箱１が組み立てられた状態で、覆い壁１３、１４は、箱本体２の側壁９、１０に近付く方向に作用する復元力が生じる。従って、覆い壁１３、１４は、側壁９、１０に近付けられる力が作用した状態で設けられることとなり、よって、組立状態の包装用紙箱１を、所定形状を安定的に維持しつつ、箱形状を美しいものとすることができる。
【００９７】
また、上述した包装用紙箱１において、天壁重ね部５３は、各第１、第２天壁貼付部４４、４５と重ならないような、前後方向（矢印Ｙ方向）の長さを有して形成されていたが、本発明はこれに限定されるものではない。図６は、図１に示された包装用紙箱の変形例を示す斜視図であり、蓋が開いた状態を示すものである。図６に示すように、天壁重ね部５３の代わりに、これをさらに延出させて、天壁１２の裏面の全体を覆うことが可能な大きさになる天壁覆い部５７が形成されていてもよい。図６において、上述した実施形態と同一の構造乃至機能を示す部材には、同一符号を付してその説明を省略する。このように、天壁重ね部５３の代わりに天壁覆い部５７が設けられ、天壁覆い部５７の裏面と天壁１１の裏面とが対向するように、第１、第２天壁貼付部４４、４５を介して重ねられることにより、天壁１１が補強されることとなり、その強度を向上させることができる。さらに、天壁１１の裏面が露出されなくなるから、蓋が開いた状態で、箱形状を美しいものとすることができる。
【００９８】
また、上述した実施形態において、包装用紙箱１が、図７に示すように、支持板８０を備えていてもよい。図７（Ａ）は、図１に示された包装用紙箱に組み付けられる支持板が包装用紙箱に組み付けられる様子を示す斜視図であり、（Ｂ）は、（Ａ）に示された支持板が包装用紙箱に組み付けられた状態を示す斜視図である。図７（Ａ）（Ｂ）において、上述した実施形態と同一の構造乃至機能を示す部材には、同一符号を付してその説明を省略する。支持板８０は、図７（Ａ）に示すように、１枚の紙材を打ち抜き、折られて成形されるものであり、左右の側壁９、１０間に設けられて、これら側壁９、１０を支持する。支持板８０は、底壁８と連結壁４との境界位置において、連結壁４の内面（裏面）に対向して設けられる仕切り板（立設板）８１と、仕切り板８１の下端縁に連続形成されて、底壁８に重ねられる底壁重なり部８２と、仕切り板８１の上端縁に連続形成されて、仕切り板８１と対向する対向板８３と、を備えている。仕切り板８１には、その下端部から左右方向（矢印Ｘ方向）の互いに離れる側に延出形成されて、各第１、第２底側内壁２２、２３の後端部に係止される支持板係止片８４が設けられている。対向板８３には、その左右方向の両端部に、各一対の第１分割部５０間に差し込まれる一対の差込片８５が設けられている。一対の差込片８５は、それぞれ、その下端が三角形状に切り欠かれることで形成されている。
【００９９】
支持板８０は、図７（Ａ）に示されたように、一枚の紙材を打ち抜いて形成された打ち抜き部材からなる。ここで、打ち抜き部材は、図７（Ａ）における手前側に、その裏面が設けられ、奥側に、その表面が設けられるように配置されている。打ち抜き部材は、一対の差込片８５を、それぞれ、各一対の第１分割部５０間にそれぞれ差し込み、仕切り板８１と底壁重なり部８２との境界を折り目ｖとして、仕切り板８１と底壁重なり部８２との表面同士が対向するように谷折りに折られ、仕切り板８１と対向板８３との境界を折り目ｗとして、仕切り板８１と対向板８３との裏面同士が対向するように山折りに折られ、図７（Ｂ）に示すように、箱本体２に組み付けられて、形成されている。ここで、支持板８０を、打ち抜き部材から折り込みつつ、包装用紙箱に組み付けていたが、支持板８０を、打ち抜き部材から折り込みつつ形成し、この後、一対の差込片８５を、それぞれ、各一対の第１分割部５０間にそれぞれ差し込んで、底壁重なり部８２を底壁８に重ねて、支持板８０を箱本体２に組み付けてもよい。
【０１００】
また、図８に示されたように、支持板８０が、底壁重なり部８２の代わりに、これにさらに延出させた収容品支持部８６を備えていてもよい。図８（Ａ）は、図７に示された支持板の変形例を示す図であり、（Ｂ）は、（Ａ）に示された支持板の展開状態を示す図である。図８（Ａ）（Ｂ）において、上述した実施形態と同一の構造乃至機能を示す部材には、同一符号を付してその説明を省略する。収容品支持部８６は、仕切り板８１の下端縁に連続形成されるとともに、底壁８の略全面に重なる板状に形成され、任意の箇所に切込み８６ａが形成され、重なり部８６の一部８７を切り起こすことで形成されていてもよい。
【０１０１】
上述した実施形態では、第１折込片５（第１折込片相当部５Ａ）が、第１、第２底側外壁２０、２１（第１、第２底側外壁相当部２０Ａ、２１Ａ）と、連結壁４（連結壁相当部４Ａ）とに連続形成されて、第１折込片相当部５Ａと第１、第２天側外壁相当部４０Ａ、４１Ａとの間にはスリット（不図示）が形成されている。これにより、包装用紙箱１の組立状態で、蓋を開けた際にも、連結壁４が、第１折込片５を介して左右の側壁９、１０と連結して設けられていることとなり、底壁８、３つの側壁９、１０、１１及び連結壁４からなる箱本体２の形状が保持される。しかしながら、本発明はこれに限定されるものではない。第１折込片５（第１折込片相当部５Ａ）は、第１、第２天側外壁４０、４１（第１、第２天側外壁相当部４０Ａ、４１Ａ）と、連結壁４（連結壁相当部４Ａ）とに連続形成されていて、第１折込片相当部５Ａと第１、第２底側外壁相当部２０Ａ、２１Ａとの間にはスリット（不図示）が形成されていてもよい。この場合には、第１折込片相当部５Ａが、該第１折込片相当部５Ａと第１、第２天側外壁相当部４０Ａ、４１Ａとの境界を折り目として内側に折り込まれることとなり、包装用紙箱１が組み立てられた状態で、第１、第２天側外壁相当部４０Ａ、４１Ａの後端の切断線が露出されることがなくなるから、箱形状を美しいものとすることができる。
【０１０２】
前述した各実施形態は本発明の好ましい形態を示したに過ぎず、本発明は、これら実施形態に限定されるものではない。即ち、当業者は、従来公知の知見に従い、本発明の骨子を逸脱しない範囲で種々改変して実施することができる。かかる改変によってもなお本発明の包装用紙箱の展開体、及び、包装用紙箱の構成を具備する限り、勿論、本発明の範疇に含まれるものである。
【符号の説明】
【０１０３】
１              包装用紙箱
１Ａ            包装用紙箱の展開体
３              蓋体
４              連結壁
４Ａ            連結壁相当部
５              第１折込片
５Ａ            第１折込片相当部
６              第２折込片
６Ａ            第２折込片相当部
７              第３折込片
７Ａ            第３折込片相当部
８              底壁
８Ａ            底壁相当部
９、１０        左右の側壁
９Ａ、１０Ａ    左右側側壁相当部
１１            前方側の側壁
１１Ａ          前方側壁相当部
１２            天壁
１２Ａ          天壁相当部
１３、１４      左右の覆い壁
１３Ａ、１４Ａ  左右側覆い壁相当部
１５            前方側の覆い壁
１５Ａ          前方覆い壁相当部
２０、２１      底側外壁（第１、第２底側外壁）
２０Ａ、２１Ａ  底側外壁相当部（第１、第２底側外壁相当部）
２２、２３      底側内壁（第１、第２底側内壁）
２２Ａ、２３Ａ  底側内壁相当部（第１、第２底側内壁相当部）
２４、２５      上壁（第１、第２上壁）
２４Ａ、２５Ａ  上壁相当部（第１、第２上壁相当部）
２６、２７      底壁貼付部（第１、第２底壁貼付部）
２６Ａ、２７Ａ  底壁貼付相当部（第１、第２底壁貼付相当部）
４０、４１      天側外壁（第１、第２天側外壁）
４０Ａ、４１Ａ  天側外壁相当部（第１、第２天側外壁相当部）
４２、４３      天側内壁（第１、第２天側内壁）
４２Ａ、４３Ａ  天側内壁相当部（第１、第２天側内壁相当部）
４４、４５      天壁貼付部（第１、第２天壁貼付部）
４４Ａ、４５Ａ  天壁貼付部相当部（第１、第２天壁貼付相当部）
１０１          シート
ｂ              折り目（第１折り筋）
【図１】
2015093676.tif 000003
【図２】
2015093676.tif 000004
【図３】
2015093676.tif 000005
【図４】
2015093676.tif 000006
【図５】
2015093676.tif 000007
【図６】
2015093676.tif 000008
【図７】
2015093676.tif 000009
【図８】
2015093676.tif 000010
【図９】
2015093676.tif 000011